(57)【要約】【課題】  ダビングに要する時間を映像の通常の再生時間と異ならせることが可能な通信システム及びそれに使用される通信装置を提供する。【解決手段】  記録媒体に記録されている動画像及び／又は音声のデータのパケット列を任意のビットレートで読み出す手段と、前記ビットレートで読み出された前記パケット列の各パケットに第１のヘッダとしてタイムスタンプを付加して該各パケットをソースパケットとする手段と、該ソースパケットを複数のデータブロックに分割する手段と、任意の数の前記データブロックと第２のヘッダを１つのアイソクロナスパケットデータとしてアイソクロナス転送する手段とを有することを特徴とする通信装置を提供する。【選択図】      図１
2005176232.tif 000002
【特許請求の範囲】
【請求項１】
記録媒体に記録されている動画像及び／又は音声のデータのパケット列を任意のビットレートで読み出す手段と、
前記ビットレートで読み出された前記パケット列の各パケットに第１のヘッダとしてタイムスタンプを付加して該各パケットをソースパケットとする手段と、
該ソースパケットを複数のデータブロックに分割する手段と、
任意の数の前記データブロックと第２のヘッダを１つのアイソクロナスパケットデータとしてアイソクロナス転送する手段とを有することを特徴とする通信装置。
【請求項２】
前記パケット列は、ＭＰＥＧトランスポートストリームのパケット列であることを特徴とする請求項１記載の通信装置。
【請求項３】
前記記録媒体の再生状態に応じて前記ビットレートと前記アイソクロナスパケットデータの大きさを変更することを特徴とする請求項１記載の通信装置。
【請求項４】
前記再生状態が前記データを通常の再生速度よりも大きな速度で再生する早送り再生では前記ビットレート及び前記アイソクロナスパケットデータは前記通常の再生速度のビットレート及びアイソクロナスパケットデータよりも大きく、
前記再生状態が前記データを通常の再生速度よりも小さい速度で再生するスロー再生では前記ビットレート及び前記アイソクロナスパケットデータは前記通常の再生速度のビットレート及びアイソクロナスパケットデータよりも小さく、
前記再生状態が一時停止の場合には前記パケット列の読み出しを行わないと共に前記前記アイソクロナスパケットデータを送信せず、
前記再生状態が逆再生の場合には前記パケット列の読み出しを行うが、前記前記アイソクロナスパケットデータを送信しないことを特徴とする請求項３記載の通信装置。
【請求項５】
前記データを前記再生状態に応じて表示する手段を更に有することを特徴とする請求項３記載の通信装置。
【請求項６】
前記読み出し手段は、
前記表示手段のために使用され、前記記録媒体の再生状態に応じた第１の速度で前記データを読み出す第１のタスクと、
前記アイソクロナス転送のために使用され、前記記録媒体の再生状態とは無関係で前記第１の速度よりも早い第２の速度で前記データを読み出す第２のタスクとを有し、
前記第１のタスクと前記第２のタスクは交互に動作することを特徴とする請求項５記載の通信装置。
【請求項７】
記録媒体に記録されている動画像及び／又は音声のデータのパケット列を前記データの通常の再生速度のＮ倍のビットレートで読み出すステップと、
前記ビットレートで読み出された前記パケット列から、前記データを前記通常の再生速度でダビングする際のアイソクロナス転送上のデータ量のＮ倍のデータ量を有するアイソクロナスパケットを生成するステップとを有することを特徴とする通信方法。
【請求項８】
前記Ｎ倍のビットレートを前記通常の再生速度に対応したビットレートに変更するためのバッファを介して表示するステップを更に有することを特徴とする請求項７記載の方法。
【請求項９】
Ｎが１よりも大きければ前記Ｎ倍のビットレートで読み出された前記データを間引いて前記バッファに書き込むステップと、
Ｎが１よりも小さければフレーム画像が前記バッファから出力されるまで前記前記フレーム画像の一つ前のフレーム画像を表示するステップとを更に有することを特徴とする請求項７記載の方法。
【請求項１０】
前記記録媒体を再生処理を施すステップを更に有し、
前記再生ステップによる前記再生状態と前記読み出しステップは無関係であることを特徴とする請求項７記載の方法。
【請求項１１】
第１の通信装置と、当該第１の通信装置とＩＥＥＥ１３９４シリアルバスを通じて通信可能に接続されている第１の通信装置とを有する通信システムであって、
前記第１の通信装置は、
第１の記録媒体に記録されている動画像及び／又は音声のデータのパケット列を任意のビットレートで読み出す手段と、
前記ビットレートで読み出された前記パケット列の各パケットに第１のヘッダとしてタイムスタンプを付加して該各パケットをソースパケットとする手段と、
該ソースパケットを複数のデータブロックに分割する手段と、
任意の数の前記データブロックと第２のヘッダを１つのアイソクロナスパケットデータとしてアイソクロナス転送する手段とを有し、
前記第２の通信装置は、前記ＩＥＥＥ１３９４シリアルバスを介して受信した前記アナソクロナスパケットデータに基づいて前記動画像及び／又は音声のデータを第２の記録媒体に記録する手段を有することを特徴とする通信システム。
【請求項１２】
第１の通信装置と、当該第１の通信装置とＩＥＥＥ１３９４シリアルバスを通じて通信可能に接続されている第１の通信装置とを有する通信システムを利用した通信方法であって、
前記第１の通信装置は、第１の記録媒体に記録されている動画像及び／又は音声のデータのパケット列を前記データの通常の再生速度のＮ倍のビットレートで読み出すステップと、
前記第１の通信装置は、前記ビットレートで読み出された前記パケット列から、前記データを前記通常の再生速度でダビングする際のアイソクロナス転送上のデータ量のＮ倍のデータ量を有するアイソクロナスパケットを生成するステップと、
前記第２の通信装置は、前記アイソクロナスパケットの前記データ量に応じた速度で前記動画像及び／又は音声のデータを第２の記録媒体に記録するステップとを有することを特徴とする通信方法。
【請求項１３】
前記第１及び／又は第２の通信装置は、前記Ｎ倍のビットレートを前記通常の再生速度に対応したビットレートに変更するためのバッファを介して表示するステップを更に有することを特徴とする請求項１２記載の方法。
【発明の詳細な説明】
【技術分野】
【０００１】
本発明は、通信システムに係り、特に、ＭＰＥＧ動画像データ等をＩＥＥＥ１３９４規格等のアイソクロナス転送を使って送受信する通信システムに関する。本発明は、例えば、オーディオビジュアル（ＡＶ）データを複製するダビングシステムに好適である。
【背景技術】
【０００２】
図６及び図７を参照して、従来のダビングシステムの一例であるダビングシステム４００について説明する。ダビングシステム４００は、ＩＥＥＥ１３９４規格（非特許文献１及び２）で規定されたアイソクロナス転送を利用したダビングシステムである。以下、ＩＥＥＥ１３９４規格に準拠した通信インターフェースをＩＥＥＥ１３９４インターフェースと呼ぶ。
【０００３】
図６は、ダビングシステム４００の概略ブロック図である。送信側のディスク４０１の動画像データは記録再生処理部４０２で読み出された後データ処理部４０３に送られる。データ処理部４０３では表示部４０４で動画を表示するためのデコード処理が施される。記録再生処理部４０２で読み出されたデータは、ＩＥＥＥ１３９４インターフェース４０５に入力され、後述する所定のパケット化が施され、ＩＥＥＥ１３９４シリアルバス４０６を経由して受信側のＩＥＥＥ１３９４インターフェース４０７に入力される。受信側は、送られてきたデータをデータ処理部４０８でデコードして表示部４０９で表示すると共に、記録再生処理部４１０を介してディスク４１１に記録する。
【０００４】
図７は記録されている動画像データであるＭＰＥＧトランスポートストリームデータをＩＥＥＥ１３９４シリアルバス４０６用にパケット化するフローを示す。記録されているデータ列５０１は記録再生処理部４０２によって読み出され、１８８バイトのＭＰＥＧ−ＴＳパケット５０２毎に１３９４インターフェース手段４０５に入力される。この時、各ＭＰＥＧ−ＴＳパケット５０２にはヘッダとしてタイムスタンプデータが付加され、ソースパケット５０３となる。次に、このソースパケットは８つのデータブロック５０４に分割される。そしてＭＰＥＧ−ＴＳデータのビットレートに応じて幾つかの（ここでは一例として４つの）ブロック５０５が１つのアイソクロナスデータ５０６とされる。各アイソクロナスデータには共通アイソクロナスパケット（ＣＩＰ）ヘッダ５０７やアイソクロナスパケットヘッダ５０８、ＣＲＣデータ５０９が付加され、アイソクロナスパケット５１０となる。この例では各アイソクロナスサイクルで４つのデータブロックから成るパケットを伝送しており、ＭＰＥＧ−ＴＳデータのビットレートは約６．０１６Ｍｂｐｓである。なお、ＭＰＥＧ−ＴＳデータをＩＥＥＥ１３９４規格で規定されたアイソクロナスパケットとして伝送する方法は、例えば、非特許文献３に開示されている。従来技術としては、例えば、特許文献１がある。
【特許文献１】特開２００１−１１９６６０号公報
【非特許文献１】ＩＥＥＥ Ｓｔｄ １３９４−１９９５， ＩＥＥＥ Ｓｔａｎｄａｒｄ ｆｏｒ  ａ Ｈｉｇｈ Ｐｅｒｆｏｒｍａｎｃｅ Ｓｅｒｉａｌ Ｂｕｓ
【非特許文献２】ＩＥＥＥ Ｓｔｄ １３９４ａ−２０００， ＩＥＥＥ Ｓｔａｎｄａｒｄ ｆｏｒ  ａ Ｈｉｇｈ Ｐｅｒｆｏｒｍａｎｃｅ Ｓｅｒｉａｌ Ｂｕｓ−Ａｍｅｎｄｍｅｎｔ １
【非特許文献３】ＩＥＣ ６１８８３−４， Ｃｏｎｓｕｍｅｒ ａｎｄ ａｕｄｉｏ／ｖｉｄｅｏ  ｅｑｕｉｐｍｅｎｔ−Ｄｉｇｉｔａｌ ｉｎｔｅｒｆａｃｅ−Ｐａｒｔ ４， ＭＰＥＧ２−ＴＳ ｄａｔａ ｔｒａｎｓｍｉｓｓｉｏｎ
【発明の開示】
【発明が解決しようとする課題】
【０００５】
しかしながら、従来のダビングシステムは、ＡＶデータをアイソクロナス転送する場合に、ダビングに要する時間が映像の再生時間と同じだけかかっていた。つまり、１時間分のＡＶデータであればダビングにかかる時間も１時間必要であった。
【０００６】
また、ダビングを行っている場合には、送信側はデータを遡って参照したり、サーチを行ったり、早送りをしたりといったデータを鑑賞するための操作を行うことはできなかった。この問題は、
特許文献１に記載のダビングシステムでも解決することができない問題である。
【０００７】
そこで、本発明は、ダビングに要する時間を映像の通常の再生時間と異ならせることが可能な通信システム及びそれに使用される通信装置を提供することを例示的目的とする。
【課題を解決するための手段】
【０００８】
本発明の一側面としての通信装置は、記録媒体に記録されている動画像及び／又は音声のデータのパケット列を任意のビットレートで読み出す手段と、前記ビットレートで読み出された前記パケット列の各パケットに第１のヘッダとしてタイムスタンプを付加して該各パケットをソースパケットとする手段と、該ソースパケットを複数のデータブロックに分割する手段と、任意の数の前記データブロックと第２のヘッダを１つのアイソクロナスパケットデータとしてアイソクロナス転送する手段とを有することを特徴とする。
【０００９】
前記パケット列は、例えば、ＭＰＥＧトランスポートストリームのパケット列である。前記記録媒体の再生状態に応じて前記ビットレートと前記アイソクロナスパケットデータの大きさを変更してもよい。前記再生状態が前記データを通常の再生速度よりも大きな速度で再生する早送り再生では前記ビットレート及び前記アイソクロナスパケットデータは前記通常の再生速度のビットレート及びアイソクロナスパケットデータよりも大きく、前記再生状態が前記データを通常の再生速度よりも小さい速度で再生するスロー再生では前記ビットレート及び前記アイソクロナスパケットデータは前記通常の再生速度のビットレート及びアイソクロナスパケットデータよりも小さく、前記再生状態が一時停止の場合には前記パケット列の読み出しを行わないと共に前記前記アイソクロナスパケットデータを送信せず、前記再生状態が逆再生の場合には前記パケット列の読み出しを行うが、前記前記アイソクロナスパケットデータを送信しなくてもよい。前記データを前記再生状態に応じて表示する手段を更に有してもよい。
【００１０】
前記読み出し手段は、前記表示手段のために使用され、前記記録媒体の再生状態に応じた第１の速度で前記データを読み出す第１のタスクと、前記アイソクロナス転送のために使用され、前記記録媒体の再生状態とは無関係で前記第１の速度よりも早い第２の速度で前記データを読み出す第２のタスクとを有し、前記第１のタスクと前記第２のタスクは交互に動作してもよい。
【００１１】
本発明の別の側面としての通信方法は、記録媒体に記録されている動画像及び／又は音声のデータのパケット列を前記データの通常の再生速度のＮ倍のビットレートで読み出すステップと、前記ビットレートで読み出された前記パケット列から、前記データを前記通常の再生速度でダビングする際のアイソクロナス転送上のデータ量のＮ倍のデータ量を有するアイソクロナスパケットを生成するステップとを有することを特徴とする。前記Ｎ倍のビットレートを前記通常の再生速度に対応したビットレートに変更するためのバッファを介して表示するステップを更に有してもよい。Ｎが１よりも大きければ前記Ｎ倍のビットレートで読み出された前記データを間引いて前記バッファに書き込むステップと、Ｎが１よりも小さければフレーム画像が前記バッファから出力されるまで前記前記フレーム画像の一つ前のフレーム画像を表示するステップとを更に有してもよい。前記記録媒体を再生処理を施すステップを更に有し、前記再生ステップによる前記再生状態と前記読み出しステップは無関係であってもよい。
【００１２】
本発明の更に別の側面としての通信システムは、第１の通信装置と、当該第１の通信装置とＩＥＥＥ１３９４シリアルバスを通じて通信可能に接続されている第１の通信装置とを有する通信システムであって、前記第１の通信装置は、第１の記録媒体に記録されている動画像及び／又は音声のデータのパケット列を任意のビットレートで読み出す手段と、前記ビットレートで読み出された前記パケット列の各パケットに第１のヘッダとしてタイムスタンプを付加して該各パケットをソースパケットとする手段と、該ソースパケットを複数のデータブロックに分割する手段と、任意の数の前記データブロックと第２のヘッダを１つのアイソクロナスパケットデータとしてアイソクロナス転送する手段とを有し、前記第２の通信装置は、前記ＩＥＥＥ１３９４シリアルバスを介して受信した前記アナソクロナスパケットデータに基づいて前記動画像及び／又は音声のデータを第２の記録媒体に記録する手段を有することを特徴とする。
【００１３】
本発明の別の側面としての通信方法は、第１の通信装置と、当該第１の通信装置とＩＥＥＥ１３９４シリアルバスを通じて通信可能に接続されている第１の通信装置とを有する通信システムを利用した通信方法であって、前記第１の通信装置は、第１の記録媒体に記録されている動画像及び／又は音声のデータのパケット列を前記データの通常の再生速度のＮ倍のビットレートで読み出すステップと、前記第１の通信装置は、前記ビットレートで読み出された前記パケット列から、前記データを前記通常の再生速度でダビングする際のアイソクロナス転送上のデータ量のＮ倍のデータ量を有するアイソクロナスパケットを生成するステップと、前記第２の通信装置は、前記アイソクロナスパケットの前記データ量に応じた速度で前記動画像及び／又は音声のデータを第２の記録媒体に記録するステップとを有することを特徴とする。前記第１及び／又は第２の通信装置は、前記Ｎ倍のビットレートを前記通常の再生速度に対応したビットレートに変更するためのバッファを介して表示するステップを更に有してもよい。
【００１４】
本発明の更なる目的又はその他の特徴は、以下、添付図面を参照して説明される好ましい実施形態によって明らかにされるであろう。
【発明の効果】
【００１５】
本発明によれば、ダビングに要する時間を映像の通常の再生時間と異ならせることが可能な通信システム及びそれに使用される通信装置を提供することができる。
【発明を実施するための最良の形態】
【００１６】
以下、本発明の一実施形態としてのダビングシステム１００について説明する。ここで、図１は、ダビングシステム１００の概略ブロック図である。ダビングシステム１００は、図１に示すように、再生通信装置１１０と、記録通信装置１２０と、ＩＥＥＥ１３９４シリアルバス１３０とを有し、記録媒体に記録されているＡＶデータをＭＰＥＧ−ＴＳとして再生表示すると共にこれを他の記録媒体に複製するダビングシステムである。ダビングシステム１００は、再生通信装置１１０の再生状態に応じた速度でダビングを行うことを特徴とし、ダビングに要する時間は再生通信装置１１０の再生状態に応じて決定される。
【００１７】
再生通信装置１１０は、ダビング元としての動画像データ及び／又は音声データ（ＡＶデータ）を格納した記録媒体１１１と、記録再生処理部１１２と、メモリ１１３と、データ処理部１１４と、表示部１１５と、ＩＥＥＥ１３９４インターフェース１１６とを有する。一方、記録通信装置１２０は、ダビング先としての記録媒体１２１と、記録再生処理部１２２と、メモリ１２３と、データ処理部１２４と、表示部１２５と、ＩＥＥＥ１３９４インターフェース１２６とを有する。記録媒体１１１及び１２１の種類は光ディスク、半導体メモリなどその種類を問わない。
【００１８】
動作において、記録媒体１１１のＡＶデータは記録再生処理部１１２で読み出され、メモリ１１３に一時的に格納される。メモリ１１３は再生状態に応じたビットレートで読み出されたデータを通常のビットレートに変更するためのバッファとして用いられる。
【００１９】
例えば、通常再生の２倍の速さの早送り再生を行う場合には、２倍のビットレートで記録媒体１１１からデータが記録再生処理部１１２によって読み出され、間引かれてメモリ１１３に送られる。図２に、データ間引きの一例を示す。メモリ１１３に読み出されたデータ列２０１を入力すると同時にメモリ１１３に対する書きこみｅｎａｂｌｅ信号２０２を与える。この例では１５フレーム毎の１ＧＯＰ（Ｇｒｏｕｐ ｏｆ Ｐｉｃｔｕｒｅ）おきに書きこみｅｎａｂｌｅ信号を与え、メモリ１１３には１ＧＯＰおきに間引かれたデータが書き込まれる。次に、このデータを通常再生時と同じ読み出しビットレートでデータ処理部１１４に送る。データ処理部１１４は、かかるデータをデコードして表示部１１５に送り、表示部１１５はこれを表示する。この結果、表示部１１５は約１５フレーム毎の不連続動画像をダビング時のモニタ画像として表示する。一方、記録再生処理部１１２で読み出されたデータはＩＥＥＥ１３９４インターフェース１１６に入力される。
【００２０】
一方、通常再生の１／２倍の速さのスロー再生を行う場合には、１／２倍のビットレートで記録媒体１１１からデータが記録再生処理部１１２によって読み出され、メモリ１１３に送られる。メモリ１１３からは順次データが読み出されデータ処理部１１４に送られる。データ処理部１１４は、かかるデータをデコードして表示部１１５に送り、表示部１１５はこれを表示される。表示部１１５は次のフレーム画像がくるまで一つ前のフレーム画像を表示しておく。
【００２１】
逆再生を行う場合には、記録媒体１１１から１ＧＯＰ単位で逆に読み出されたデータが、メモリ１１３を介してデータ処理部１１４に送られ、ＧＯＰ内のフレームの順番を反転して表示部１１５に表示される。
【００２２】
一時停止状態を行う場合には、記録再生処理部１１２は記録媒体１１１からデータは読み出さず、従って、メモリ１１３、データ処理部１１４及び表示部１１５にはデータが転送されず、表示部１１５は一時停止状態になったときのフレーム画像を表示する。表示部１１５は前述のフレーム画像を保持するためのフレームバッファを有する。
【００２３】
以上のように、再生状態に応じて読み出しのビットレートを変更し、メモリ１１３、記録再生処理部１１２、データ処理部１１４及び表示部１１５の各処理部で同期して処理を行うことによって再生状態と同じ映像を表示することができる。
【００２４】
以下、図３を参照して、読み出しビットレートに応じたパケット化の例について説明する。早送り再生を行う場合、記録されているデータ列３０１は記録再生処理部１１２によって通常再生時の２倍のビットレートで読み出され、１８８バイトのＭＰＥＧ−ＴＳパケット３０２毎にＩＥＥＥ１３９４インターフェース１１６に入力される。この時、各ＭＰＥＧ−ＴＳパケット３０２にはヘッダとしてタイムスタンプデータが付加されてソースパケット３０３となる。次にこのソースパケットは従来例と同様８つのデータブロック３０４に分割される。そして、８つのブロック３０５が１つのアイソクロナスデータ３０６とされる。アイソクロナスデータ３０６は、従来のアイソクロナスデータ５０６に対して２倍のデータ量を有する。各アイソクロナスデータ３０６には共通アイソクロナスパケット（ＣＩＰ）ヘッダ３０７やアイソクロナスパケットヘッダ３０８、ＣＲＣ（Ｃｙｃｌｉｃ Ｒｅｄｕｎｄａｎｃｙ Ｃｈｅｃｋ）データ３０９が付加され、アイソクロナスパケット３１０となる。この例では各アイソクロナスサイクルで８つのデータブロック３０５から成るパケット３１０を伝送しており、ＭＰＥＧ−ＴＳデータのビットレートは約１２．０３２Ｍｂｐｓとなる。
【００２５】
図４を参照して、スロー再生を行う場合のパケット化の例について説明する。前述と同様に、記録されているデータ列３０１は記録再生処理部１１２によって通常再生時の１／２倍のビットレートで読み出され、１８８バイトのＭＰＥＧ−ＴＳパケット３０２ごとにＩＥＥＥ１３９４インターフェース１１６に入力される。また同様に、この時、各ＭＰＥＧ−ＴＳパケット３０２にはヘッダとしてタイムスタンプデータが付加されてソースパケット３０３となり、８つのデータブロック３０４に分割される。そして２つのブロック３０５が１つのアイソクロナスデータ３２０となる。アイソクロナスデータ（ペイロードデータ）３２０は、従来のアイソクロナスデータ５０６に対して１／２倍のデータ量を有する。各アイソクロナスデータには共通アイソクロナスパケット（ＣＩＰ）ヘッダ３２１やアイソクロナスパケットヘッダ３２２、ＣＲＣデータ３２５が付加されアイソクロナスパケット３３０となる。この例では各アイソクロナスサイクルで２つのデータブロック３０５から成るパケット３３０を伝送しており、ＭＰＥＧ−ＴＳデータのビットレートは約３．００８Ｍｂｐｓとなる。
【００２６】
逆再生を行う場合には、記録媒体１１１から読み出されたＭＰＥＧ−ＴＳパケットはメモリ１１３に対しては送られるが、ＩＥＥＥ１３９４インターフェース１１６には送られない。このときＩＥＥＥ１３９４インターフェース１１６は、アイソクロナスパケットにＣＩＰヘッダのみを付加して送信する。
【００２７】
一時停止を行う場合には、記録媒体１１１からデータの読み出しは行われず、従って、ＩＥＥＥ１３９４インターフェース１１６を介してのデータ送信も行われない。表示部１１５は最後にデコードされたフレームデータを表示する。
【００２８】
再び図１に戻って、記録通信装置１２０の動作について説明する。再生通信装置１１０によって生成されたパケットは１３９４バス１３０を経由して記録通信装置１２０のＩＥＥＥ１３９４インターフェース１２６に入力される。記録通信装置１２０は、かかるデータをメモリ１２３に入力する。メモリ１２３はＩＥＥＥ１３９４インターフェース１２６から入力されたデータをデータ処理部１２４に通常のビットレートで送るためのバッファとして用いられる。
【００２９】
再生通信装置１１０が通常の再生を行った場合、受信したＭＰＥＧ−ＴＳパケットはそのままメモリ１２３に送られ、データ処理部１２４によってデコードされ表示部１２５にて表示される。
【００３０】
再生通信装置１１０が早送り再生を行った場合、再生通信装置１１０と同様に、１ＧＯＰ毎にメモリ１２３に対してｅｎａｂｌｅ信号を出すことによって間引かれたデータがメモリ１２３に送られ、データ処理部１２４によってデコードされて表示部１２５にて表示される。このとき、メモリに対してｅｎａｂｌｅ、ｄｉｓａｂｌｅの信号はＩＥＥＥ１３９４インターフェース１２６が受信したパケット数をカウントし１ＧＯＰ毎に出すようにしてもよいし、記録再生処理部１２４が受信したＭＰＥＧ−ＴＳパケット数をカウントすることにより１ＧＯＰ毎に出すようにしてもよい。
【００３１】
再生通信装置１１０がスロー再生を行った場合、再生通信装置１１０と同様に、メモリ１２３に受信データが書き込まれ、順次データ処理部１２４でデコードされ、表示部１２５にて表示される。
【００３２】
再生通信装置１１０が逆再生及び一時停止を行った場合、再生通信装置１１０と同様の手段で処理される。
【００３３】
一方、ＩＥＥＥ１３９４インターフェース１２６から入力されたデータは記録再生処理部１２２に入力され、受信したアイソクロナスのペイロードサイズに応じた速度で記録媒体１２１に画像データが書きこまれる。このときにアイソクロナスパケットがＣＩＰヘッダのみを含むヌルパケットだけであった場合には、記録媒体１２１への書き込みは行わない。
【００３４】
かかる構成によってダビングを行う場合に、再生通信装置１１０の再生状態である早送り、逆再生、スロー再生、一時停止に拘らず、記録媒体１１１上のデータの欠落無しに、記録媒体１２１へのデータのダビングをアイソクロナス転送を使って行うことができる。なお、本実施形態は、早送り再生が２倍、スロー再生が１／２倍の例について説明したが、１つのアイソクロナスデータにカプセル化するデータブロックの数を変更することによって再生速度が何倍であっても対応することは可能である。またダビング時のモニタ表示の方法は一例にすぎない。
【００３５】
上の例では、ダビング時に再生通信装置１１０の再生状態に応じて送信レートが変化し、記録通信装置１２０はそのレートに応じて記録することしかできない。即ち、記録通信装置１２０が、逆再生及び一時停止の場合にはデータは送信されず、逆再生及び一時停止が解除されない限り、ダビングは終了しない。また、１／２倍のスロー再生の場合には２倍ダビング時間がかかる。そこで、以下、図１に示すダビングシステム１００において、再生通信装置１１０が自由に早送り、巻き戻し等の再生操作を行うことができ、かつ、高速にダビングを行う方法について図６を参照して説明する。なお、早送りの場合にはダビング時間は通常の半分になるため、上述の方法を採用することができる。
【００３６】
まず、通常再生時のデータの読み出しは２つのタスク３５０及び３６０によって行われる。通常再生時には、再生通信装置１００において常時起動されている読み出し専用のタスク３５０の他に、データを読み出してメモリ１１３に書き込むためのタスク３６０が起動される。ここで各タスクは交互に動作する。
【００３７】
タスク３５０は、ＲＵＮ状態３５２のときに通常再生の２倍の速さで記録媒体１１１からデータの読み出しを行い、上述の実施例と同様に通常転送時の２倍のペイロードサイズのアイソクロナスパケット転送を行う。タスク３５０がＲＵＮ状態３５２にある場合にはメモリ１１３にはｅｎａｂｌｅ信号が送られ、メモリ１１３に読み出されたデータは伝送されない。一方、タスク３６０がＲＵＮ状態３６２の時、タスク３６０は通常の読み出し速度でデータの読み出しを行い、データをメモリ１１３に送り、データ処理部１１４によってデコード処理がなされ表示部１１５にて表示されるが、このときにＩＥＥＥ１３９４インターフェース１１６にはｅｎａｂｌｅ信号が送られデータの送信は行われない。また逆再生時にも前記と同様にタスク３５０によって通常再生の２倍の速さで記録媒体１１１からデータの読み出しが行われ、上述の実施例と同様に通常転送時の２倍のペイロードサイズのアイソクロナスパケット転送が行われる。タスク３６０は逆再生の速度でデータの読み出しを行い、データをメモリ１１３に送り、データ処理部１１４によってデコード処理がなされ表示部１１５にて表示される。同様にスロー再生と一時停止に関しても、タスク３５０はＲＵＮ状態３５２のときには通常再生の２倍の速さで記録媒体１１１からデータの読み出しを行いＩＥＥＥ１３９４インターフェース１１６を介して通常の２倍のレートによるデータ伝送がなされ、タスク３６０がＲＵＮ状態３６２の時には再生状態に応じた速さで記録媒体１１１からデータの読み出しを行い、表示部１１５にて表示されることになる。
【００３８】
このようにすることによって、再生通信装置１１０の再生状態によらずに２倍の速さで高速にダビングを実現することが可能となる。また、ダビング時に記録通信装置１２０では上述の実施例のように表示部１２５において間引いて表示を行ってもよいし表示しなくてもよい。なお本実施例ではタスク３５０の読み出し速度が通常時の２倍の例を述べたが、１つのアイソクロナスデータにカプセル化するデータブロックの数を変更することによって読み出し速度が何倍であっても対応することは可能である。
【００３９】
以上説明したように、本実施形態のダビングシステム１００によれば、ダビングに要する時間を映像の通常の再生時間と異ならせることができる。即ち、ある実施形態では、再生通信装置１１０の再生状態に応じた速度でダビングを行うことができ、別の実施形態では、再生通信装置１１０の再生状態よりも高速にダビングを行うことも可能となる。
【図面の簡単な説明】
【００４０】
【図１】本発明の第一の実施例によるダビングシステムの概略ブロック図である。
【図２】図１に示すシステムの送信側メモリへの書き込みタイミングを説明するためのタイミングチャートである。
【図３】図１に示すシステムの送信側によるパケット生成フローの一例を説明するための図である。
【図４】図１に示すシステムの送信側によるパケット生成フローの別の例を説明するための図である。
【図５】図１に示すシステムの送信側によるパケット生成フローの更に別の例を説明するための図である。
【図６】従来のダビングシステムの概略ブロック図である。
【図７】図６に示すシステムの送信側のパケット生成フローを説明するための図である。
【符号の説明】
【００４１】
１００                      撮像装置
１１０                      操作手段
１２０                      操作量検出回路
１２２、１２３              ズーム速度算出手段
１２４                      頻度算出回路
１２６                      リセットスイッチ
１２７、１２７Ａ            リセット回路
１２８                      メモリ
１２９                      取り付け検出手段
１３０                      駆動回路
１３２                      アクチュエータ
１３４                      レンズ個別情報格納用メモリ
１４０                      撮像レンズ
１４４                      コンバージョンレンズ
１５０                      ＣＣＤ
１５２                      信号処理回路
１５４                      記録手段
１６０                      記録操作スイッチ
【図５】
2005176232.tif 000003
【図１】
2005176232.tif 000004
【図２】
2005176232.tif 000005
【図３】
2005176232.tif 000006
【図４】
2005176232.tif 000007
【図６】
2005176232.tif 000008
【図７】
2005176232.tif 000009